(57)【要約】【課題】  振止金物を上、下水道用マンホールの内径が異なる位置に取付けた場合、前記継足型制水弁開閉軸が挿通し得る空間部の軸芯を上、下水道用マンホールの内部に設置された制水弁の軸芯に確実に合わせることができる角度調整自在型振止金物を提供する。【解決手段】地中に埋設され、しかも人の出入口が片斜ブロックで形成されている上、下水道用マンホールの内部に設置された制水弁の開閉を操作する継足型制水弁開閉軸の振止金物であって、一対の長孔を所定の間隔を離して設けた受体を、上、下水道用マンホールの入口近傍の内壁に固設し、この受体上に、前記継足型制水弁開閉軸が挿通し得る空間部を設けた振止金物を固設した振止金物角度調整体を角度調整自在に取付けた。【選択図】  図１
2005061190.tif 000002
【特許請求の範囲】
【請求項１】
地中に埋設され、しかも人の出入口が片斜ブロックで形成されている上、下水道用マンホールの内部に設置された制水弁の開閉を操作する継足型制水弁開閉軸の振止金物であって、一対の長孔を所定の間隔を離して設けた受体を、上、下水道用マンホールの入口近傍の内壁に固設し、この受体上に、前記継足型制水弁開閉軸が挿通し得る空間部を設けた振止金物を固設した振止金物角度調整体を角度調整自在に取付けたことを特徴とする角度調整自在型振止金物。
【請求項２】
請求項１に記載の角度調整自在型振止金物において、振止金物角度調整体は、平面略山形状で、かつ断面略逆Ｌ字形部材に形成されているとともに、この断面略逆Ｌ字形部材の水平板部の中心部を、支軸により振止金物取付板の受体下面に回動自在に取付け、さらに前記断面略逆Ｌ字形部材の水平板部を前記受体に設けた長孔に挿通したボルト、ナットにより一体に固定し得るようにしたことを特徴とする角度調整自在型振止金物。
【請求項３】
請求項１乃至請求項２に記載の角度調整自在型振止金物において、振止金物角度調整体の断面略逆Ｌ字形部材の水平板部の下面に、雄ネジを形成した直型棒を一体に取付けたことを特徴とする角度調整自在型振止金物。
【請求項４】
請求項１乃至請求項２に記載の角度調整自在型振止金物において、振止金物角度調整体の断面略逆Ｌ字形部材の垂直板部に、雄ネジを形成したＬ型棒を一体に取付けたことを特徴とする角度調整自在型振止金物。
【発明の詳細な説明】
【技術分野】
【０００１】  本発明は、地中に深く埋設され、しかも人の出入口部がほぼ円錐形または片斜形の上、下水道用マンホールで形成されている内部に設置された制水弁の開閉を操作する継足型制水弁開閉軸の角度調整自在型振止金物に関するものである。
【背景技術】
【０００２】  従来、地中に深く埋設され、しかも人の出入口部２０ａが例えば片斜形ブロックで形成されている上、下水道用マンホール２０（図７、図８）の筐体内部に設置された制水弁の開閉を操作する継足型制水弁開閉軸２１の振止金物２２としては、図９、図１０に示すように公知である。
このものは、前記継足型制水弁開閉軸２１が挿通し得る空間部２３を一対の直型棒２４間に設け、これら一対の直型棒２４を薄板状の壁面取付板２５に直角に植設したものである。この振止金物２２を上、下水道用マンホール２０の壁体２０ｂの壁面および片斜形ブロックの壁体２０ｃの壁面に取付ける場合には、前記薄板状の壁面取付板２５をアンカー２６などにより固設している。【０００３】  また、他の公知例としては、図１１、図１２に示すような振止金物２７がある。このものは、前記継足型制水弁開閉軸２１が挿通し得る空間２８を一対のＬ型棒２９間に設け、これら一対のＬ型棒２９を振止金物取付板２５に直接固設したものである。この振止金物２７を上、下水道用マンホール２０の壁体２０ｂに取付ける場合には、前記振止金物取付板２５をアンカー２６などにより固設している。
【発明の開示】
【発明が解決しようとする課題】
【０００４】  ところが、上記従来の技術においては、人の出入口２０ａが例えば片斜ブロックで形成されている上、下水道用マンホール２０の壁体２０ｂに、前記振止金物２２、２７をそのまま直接取付け固設した場合、例えば片斜ブロック位置の内径と上、下水道用マンホール２０の内径とがそれぞれ異なっているため、前記継足型制水弁開閉軸２１が挿通し得る空間部２３と制水弁との中心が合わない場合が発生し、この継足型制水弁開閉軸２１による制水弁の開閉操作を良好にできないなどの問題点があった。
【課題を解決するための手段】
【０００５】  本発明の角度調整自在型振止金物は、上記課題を解決することを目的とし、地中に埋設され、しかも人の出入口が片斜ブロックで形成されている上、下水道用マンホールの内部に設置された制水弁の開閉を操作する継足型制水弁開閉軸の振止金物であって、一対の長孔を所定の間隔を離して設けた受体を、上、下水道用マンホールの入口近傍の内壁に固設し、この受体上に、前記継足型制水弁開閉軸が挿通し得る空間部を設けた振止金物を固設した振止金物角度調整体を角度調整自在に取付けたことを特徴とする。【０００６】  また、本発明の角度調整自在型振止金物は、前記振止金物角度調整体が、平面略山形状で、かつ断面略逆Ｌ字形部材に形成されているとともに、この断面略逆Ｌ字形部材の水平板部の中心部を、支軸により振止金物取付板の受体下面に回動自在に取付けられ、さらに前記断面略逆Ｌ字形部材の水平板部を前記受体に設けた長孔に挿通したボルト、ナットにより一体に固定し得るようにしたことを特徴とする。【０００７】  また、本発明の角度調整自在型振止金物は、前記振止金物角度調整体の断面略逆Ｌ字形部材の水平板部の下面に、雄ネジを形成した直型棒を一体に取付けたことを特徴とする。【０００８】  さらにまた、本発明の角度調整自在型振止金物は、振止金物角度調整体の断面略逆Ｌ字形部材の垂直板部に、雄ネジを形成したＬ型棒を一体に取付けたことを特徴とする。
【発明の効果】
【０００９】  本発明に係る角度調整自在型振止金物は、地中に埋設され、しかも人の出入口が片斜ブロックで形成されている上、下水道用マンホールの内部に設置された制水弁の開閉を操作する継足型制水弁開閉軸の振止金物であって、一対の長孔を所定の間隔を離して設けた受体を、上、下水道用マンホールの入口近傍の内壁に固設し、この受体上に、前記継足型制水弁開閉軸が挿通し得る空間部を設けた振止金物を固設した振止金物角度調整体を角度調整自在に取付けたものであるから、振止金物を上、下水道用マンホールの内径が異なる位置に取付けた場合でも前記継足型制水弁開閉軸が挿通し得る空間部の軸芯を上、下水道用マンホールの内部に設置された制水弁の軸芯に確実に合わせることができ、構造的に強固であり、操作も簡便となり、コストが安価となるなどの効果がある。
【発明を実施するための最良の形態】
【００１０】  本発明は、地中に埋設され、しかも人の出入口が片斜ブロックで形成されている上、下水道用マンホールの内部に設置された制水弁の開閉を操作する継足型制水弁開閉軸の振止金物であって、一対の長孔を所定の間隔を離して設けた受体を、上、下水道用マンホールの入口近傍の内壁に固設し、この受体上に、前記継足型制水弁開閉軸が挿通し得る空間を設けた振止金物を固設した振止金物角度調整体を角度調整自在に取付けたものであり、本発明の振止金物を上、下水道用マンホールの内径が異なる位置に取付けた場合、前記継足型制水弁開閉軸が挿通し得る空間部の軸芯を上、下水道用マンホールの内部に設置された制水弁の軸芯に確実に合わせることができる角度調整自在型振止金物を提供する。
【実施例１】
【００１１】  以下、図面を参照して本発明に係る角度調整自在型振止金物の実施の形態を詳細に説明する。
図１は、振止金物に形成した空間部を右方向に傾斜させて固定した場合の本発明に係る角度調整自在型振止金物の実施例１を示す底面図であり、図２は、振止金物に形成した空間部を左方向に傾斜させて固定した場合の本発明に係る角度調整自在型振止金物の実施例１を示す底面図である。図３は、同側面図である。図４は、同正面図である。【００１２】  図１乃至図４において、１は実施例１に示す本発明に係る角度調整自在型振止金物であり、２は、上、下水道用マンホールの壁体である。
３は、一対の長孔３ａを所定の間隔を離して設けた受体であり、前記上、下水道用マンホールの壁体２にアンカー４などにより取付けた振止金物取付板５に固設されている。この受体３下面には、所定の長さの一対の直型棒６を固設した振止金物角度調整体７が角度調整自在に取付けられている。これら一対の直型棒６間には、図示しない継足型制水弁開閉軸が挿通し得る空間部が設けられている。【００１３】  この振止金物角度調整体７は、平面略山形状で、かつ断面略逆Ｌ字形部材、即ち水平板部７ｂと垂直板部７ｃに形成されており、前記水平板部７ｂには、前記受体３に設けた一対の長孔３ａに対応する位置に、一対の長孔７ａが設けられ、中心位置に支軸９が設けられている。前記振止金物角度調整体７は、左右角度調整した後、これら各孔３ａ、７ａに挿通させたボルト１０とナット１１によって前記受体３上に固定されるようになっている。【００１４】  前記直型棒６には、全周に雄ネジ６ａが刻設されており、この一対の直型棒６に、中央に半円部１２ａを形成し、両側に直型棒６への取付部１２ｂを形成した２個の空間部形成体１２が、向かい合わせて中央にほぼ円形の空間部１３を形成させるように雄ネジ６ａにナット１４を螺合させて取付けられている。
【実施例２】
【００１５】  図５は、直型棒６をＬ型棒１６に代えた場合の本発明に係る角度調整自在型振止金物の実施例２を示す底面図であり、図６は、同側面図である。【００１６】  図５乃至図６において、１５は実施例２に示す本発明に係る角度調整自在型振止金物であり、２は、上、下水道用マンホールの壁体である。図中図１乃至図４に示したものと同じ部分には、同じ符号を付し、説明を省略する。
この実施例２においては、実施例１における一対の直型棒６の代わりに一対のＬ型棒１６を使用している。このようなＬ型棒１６を使用すれば上、下水道用マンホールの壁体２の内壁面に障害物がある場合でも、支障なく本発明の角度調整自在型振止金物を取付けることができる。【００１７】  なお、各実施例１、２における受体３と振止金物取付板５とは、所要の材料例えば耐腐蝕性のステンレスまたは硬質プラスチック製などにより一体に形成しても良いこと勿論である。
【図面の簡単な説明】
【００１８】
【図１】振止金物に形成した空間部を右方向に傾斜させて固定した場合の本発明に係る角度調整自在型振止金物の実施例１を示す底面図である。
【図２】振止金物に形成した空間部を左方向に傾斜させて固定した場合の本発明に係る角度調整自在型振止金物の実施例１を示す底面図である。
【図３】同側面図である。
【図４】同正面図である。
【図５】直型棒をＬ型棒に代えた場合の本発明に係る角度調整自在型振止金物の実施例２を示す底面図である。
【図６】同側面図である。
【図７】一般的な片斜形ブロックで形成されている上、下水道用マンホールの一部断面図である。
【図８】同平面図である。
【図９】振止金物の従来例を示す平面図である。
【図１０】同側面図である。
【図１１】振止金物の他の従来例を示す平面図である。
【図１２】同側面図である。
【符号の説明】
【００１９】１      実施例１に示す本発明に係る角度調整自在型振止金物
２      上、下水道用マンホールの壁体
３      受体
３ａ    一対の長孔
４      アンカー
５      振止金物取付板
６      直型棒
６ａ    雄ネジ
７      振止金物角度調整体
７ａ    一対の長孔
７ｂ    水平板部
７ｃ    垂直板部
９      支軸
１０    ボルト
１１    ナット
１２    空間部形成体
１２ａ  半円部
１２ｂ  取付部
１３    空間部
１４    ナット
１５    実施例２に示す本発明に係る角度調整自在型振止金物
１６    Ｌ型棒
【図１】
2005061190.tif 000003
【図２】
2005061190.tif 000004
【図３】
2005061190.tif 000005
【図４】
2005061190.tif 000006
【図５】
2005061190.tif 000007
【図６】
2005061190.tif 000008
【図７】
2005061190.tif 000009
【図８】
2005061190.tif 000010
【図９】
2005061190.tif 000011
【図１０】
2005061190.tif 000012
【図１１】
2005061190.tif 000013
【図１２】
2005061190.tif 000014